(57)【要約】パネルであって、少なくとも１つの位置決めブラケットであり、少なくとも１つの側壁に沿っての開口を有する実質的にＣ字形状の取付け部分と、少なくとも１つのブラケットを面に対して取り付けるようにされているフランジと、を有する、ブラケットと、第１の方向に配置されている複数の第１の部材と、第２の方向に配置されている少なくとも１つの第２の部材と、を有し、少なくとも１つの部材の少なくとも１つの側面が、位置決めブラケットのＣ字形状の取付け部分と係合するような形状を有し、Ｃ字形状の取付け部分の少なくとも一部が、少なくとも１つの部材の少なくとも１つの側面と同一平面上であるようにされている、パネル。【選択図】図４
2010511812.tif 000002
【特許請求の範囲】
【請求項１】
パネルであって、
ｉ．少なくとも１つの位置決めブラケットであって、
ａ．少なくとも１つの側壁に沿っての開口を有する実質的にＣ字形状の取付け部分と、
ｂ．前記少なくとも１つのブラケットを面に対して取り付けるようにされているフランジと、
を有する、前記ブラケットと、
ｉｉ．第１の方向に配置されている複数の第１の部材と、
ｉｉｉ．第２の方向に配置されている少なくとも１つの第２の部材と、
を有し、
少なくとも１つの部材の少なくとも１つの側面が、前記位置決めブラケットの前記Ｃ字形状の取付け部分と係合するような形状を有し、
前記Ｃ字形状の取付け部分の少なくとも一部が、前記少なくとも１つの部材の少なくとも１つの側面と同一平面上であるようにされている、
パネル。
【請求項２】
前記パネルが、キットまたはモジュール型として販売するように製造されている、請求項１に記載のパネル。
【請求項３】
前記パネルが、前記第１の方向における一連の部材と、前記第１の方向における前記部材を一緒に固定する、もしくは、前記第１の方向における前記部材を支持する、またはその両方を行う、前記第２の方向における部材と、を含んでいる、請求項１または請求項２に記載のパネル。
【請求項４】
各部材が、留め具を使用できるように、事前にドリル加工された複数の開口を含んでいる、請求項１から請求項３のいずれかに記載のパネル。
【請求項５】
各部材が、少なくとも１つの切り込み加工されたセクションを有し、前記第１の部材および前記第２の部材の前記切り込み加工されたセクションの位置および形状構造が、前記パネルを組み立てるときに互いに係合するように対応する形状を有する、請求項１から請求項４のいずれかに記載のパネル。
【請求項６】
第１の部材のそれぞれが、
前記第１の部材の各端部に隣接する、一対の、切り込み加工された部分であって、前記第１の部材の同じ側において角から角部分を除去することによって形成される、前記切り込み加工された部分、
を含んでいる、
請求項１から請求項５のいずれかに記載のパネル。
【請求項７】
前記Ｃ字形状の取付け部分が、前記第１の部材の前記端部を囲み、かつ、前記第１の部材の切り込み加工されていない部分と同一平面上であるように、前記第１の部材の前記端部全体のサイズが小さくされている、請求項１に記載のパネル。
【請求項８】
ブラケットが第１の部材に嵌め込まれると、適切に配置されている第２の部材が、前記第１の部材の前記切り込み加工された部分を覆う、請求項６または請求項７に記載のパネル。
【請求項９】
前記切り込み加工された部分によって、前記切り込み加工された部分の間、前記第１の部材の各端部に、周囲より高い舌状延長部分が形成されている、請求項６から請求項８のいずれか１項に記載のパネル。
【請求項１０】
前記舌状延長部分が、前記Ｃ字形状の取付け部分の側壁の間に受け入れられる、請求項９に記載のパネル。
【請求項１１】
前記第１の部材の各端部が、異なる深さもしくは異なる位置、またはその両方である切り込みによって形成される階段状の輪郭を有する、請求項６から請求項１１のいずれか１項に記載のパネル。
【請求項１２】
前記第１の部材の前記端部の前記角を切り込み加工することによって形成される前記舌状延長部分が、一次切り込みであり、さらに切り込み加工して、前記一次切り込みよりも幅および深さが小さく、前記一次切り込みの長さの一部のみにわたり形成される少なくとも１つの二次切り込み部分、が設けられている、請求項９に記載のパネル。
【請求項１３】
前記一次切り込みが、前記第１の部材の前記端部に隣接して位置しており、前記二次切り込み部分が、前記一次切り込みの内側に位置している、請求項１２に記載のパネル。
【請求項１４】
前記一次舌部が、側面から見たとき、Ｌ字形状の舌部であり、前記Ｌ字形状の舌部の基部が前記第１の部材の端部に隣接しており、前記Ｌ字形状の舌部の直立部分が前記基部から前記第１の部材の他方の端部の方に延びている、請求項１３に記載のパネル。
【請求項１５】
第１の部材のそれぞれが、
前記第１の部材の同じ側において角から角部分を除去することによって形成される、一対の、切り込み加工された部分であって、前記第１の部材の前記端部から、原寸の、切り込み加工されてない部分によって隔てられている、前記切り込み加工された部分、
を含んでいる、
請求項１から請求項５のいずれかに記載のパネル。
【請求項１６】
前記第２の部材のそれぞれが、その長さの上に隔置されている複数の切り込み加工された部分を含んでいる、請求項１から請求項１５のいずれかに記載のパネル。
【請求項１７】
第２の部材のそれぞれが、
第１の部材が前記パネルの上部レールまたは下部レールとして使用されるときに、前記第１の部材と係合する目的で、前記部材の端面に切り込み加工された部分を含んでいる、
請求項１から請求項１６のいずれかに記載のパネル。
【請求項１８】
ブラケットの前記Ｃ字形状部分が、上壁と、下壁と、これら２つの壁を結合している側壁とによって画成されており、前記側壁に対向する縦方向の開口が設けられている、または、前記側壁に対向する側壁が存在しない、請求項１から請求項１７のいずれかに記載のパネル。
【請求項１９】
前記Ｃ字形状部分の上壁および下壁のそれぞれが、前記それぞれの壁の縁部から延びている延在部分であって、前記側壁に対向している、前記延在部分を有する請求項１８に記載のパネル。
【請求項２０】
前記ブラケットが、
前記Ｃ字形状部分から角度をなして延びているフランジであって、前記第１の部材の前記端部と同じ断面形状の開口が設けられている、前記フランジ、
を含んでいる、
請求項１から請求項１９のいずれかに記載のパネル。
【請求項２１】
パネルを組み立てる方法であって、前記パネルが、
ｉ．少なくとも１つの位置決めブラケットであって、
ａ．少なくとも１つの側壁に沿っての開口を有する実質的にＣ字形状の取付け部分と、
ｂ．前記少なくとも１つのブラケットを面に対して取り付けるようにされているフランジと、
を有する、前記ブラケットと、
ｉｉ．第１の方向に配置されている複数の第１の部材と、
ｉｉｉ．第２の方向に配置されている少なくとも１つの第２の部材と、
を有し、
少なくとも１つの部材の少なくとも１つの側面が、前記ブラケットの前記Ｃ字形状の取付け部分と係合するような形状を有し、
前記方法が、
前記Ｃ字形状の取付け部分の少なくとも一部が、前記パネル部材の少なくとも１つの側面と同一平面上になるまで、前記部材を前記Ｃ字形状の取付け部分に挿入し、前記ブラケットを前記部材に固定するステップ、
をさらに含んでいる、
方法。
【請求項２２】
細長い部材を支持体に対して固定する固定具システムであって、
前記細長い部材の端面に形成されている開口と、
前記支持体に取り付けるようにされているブラケットであって、前記端面における前記開口に少なくとも部分的に受け入れられる細長い延長部分、を有する、前記ブラケットと、
を含んでいる、固定具システム。
【請求項２３】
部材を重なり合わせるための、２つの部品から成る自己位置決め接合器であって、第１の重なり合う部材における第１のほぞ穴部と、第２の重なり合う部材における第２のほぞ部と、を有し、前記部材が重なり合うときに、前記接合器の前記ほぞ部が前記接合器の前記ほぞ穴部の中で確実に位置決めされて正しい配置が確保される、自己位置決め接合器。
【発明の詳細な説明】
【技術分野】
【０００１】
本発明は、ブラケットおよびパネルに関し、詳細には、良好な強度特性と、使用者が組み立てることのできる最小の複雑さとを有する、改良されたブラケットおよびパネルに関する。
【背景技術】
【０００２】
ブラケット、パネル、およびパネルを固定するためのブラケットは、市販されており、きわめて一般的である。
【０００３】
パネルは、多数の異なる形式があり、本発明は、適切な位置に固定されており第１の方向に延びている一連の部材を有するパネルであって、一連の部材が、支持部材としての役割を果たす目的で異なる方向に延びている少なくとも１つの部材を有することができる、パネル、を提供することに関する。
【０００４】
本発明のパネルに類似するパネルの代表的な例は、金属フェンスの上に使用される装飾的な木製のスラットパネル、格子パネルのほか、装飾的用途に使用される、あるいは、空気は通すが大きな物体は通過できないようにする選択的な防護壁としてパネルを使用するためのその他のスラットパネルである。
【０００５】
上述したタイプのような従来のパネルは、しばしば設置する前に形成され、一般的には、一対の支柱または一対の壁の間に配置および固定される。支柱または壁の向かい合う面には、一般的に、細長い溝または凹部が設けられており、これらの溝または凹部にパネルの縁部を（一般的には上から、または下から）挿入し、次いで、パネルが外れることを防止するため溝または凹部の端部をふさぐ。
【０００６】
従来、パネルを適切な位置に固定する目的で、パネルの縁部をブラケットの中に挿入していたが、これらのブラケットは、一般的には扱いづらく、美観的にも好ましくない。従来のブラケットは、パネルの周囲（設けられている場合）またはパネルの個々の部材を係合させるために使用されてきた。従来のブラケットは、パネルの個々の部材を係合させる場合、パネル部材の端部が中に挿入される管状部材として設けられてきた。このため、部材の端部が大きくなり、場合によっては、パネル部材を嵌め込む開口のサイズに対して、パネルが合わないことがある。
【０００７】
これに加えて、あらかじめ作製されるパネルは、しばしばパネルの見積り後に製造され、したがって、比較的正確に製造される受注生産式パネルである。従来のほとんどのパネルの場合、大き過ぎるパネルを開口に嵌め込む問題の結果として、パネルのサイズを小さくするため、現場においてのこぎりまたは類似する切断工具を使用してパネルを寸法修正することにつながる。固定するための固定具にとって小さすぎるサイズに製造されているパネルの場合、解決策は単純ではなく、一般的には、新しいパネルを作製する、あるいは、支柱または壁に固定される間隔調整部材（spacing member）を使用してからパネルを取り付けることになる。
【発明の概要】
【発明が解決しようとする課題】
【０００８】
したがって、本発明の目的は、ブラケットおよびパネルであって、単純であり使用および設置するうえで便利であるブラケットを含んでおり、パネルが、比較的経験の浅い作業者が限られた工具類を使用して自身で構築することのできる、ブラケットおよびパネル、を提供することである。
【０００９】
本文書において従来技術の公開文献が参照されている場合、その参照は、その公開文献が、オーストラリアまたはそれ以外の任意の国においてこの技術分野における一般的な知識の一部を形成することを意味するものではないことが、明らかに理解されるであろう。
【課題を解決するための手段】
【００１０】
本発明は、ブラケットと、ブラケットを含んでいるパネルであって、上述した欠点の少なくとも１つを少なくとも部分的に克服することのできる、または、有用あるいは市販品としての選択肢を消費者に提供することのできる、ブラケットおよびパネル、に関する。
【００１１】
一形態においては、本発明は、パネルであって、
ｉ．少なくとも１つの位置決めブラケットであって、
ａ．少なくとも１つの側壁に沿っての開口を有する実質的にＣ字形状の取付け部分と、
ｂ．少なくとも１つのブラケットを面に対して取り付けるようにされているフランジと、
を有する、ブラケットと、
ｉｉ．第１の方向に配置されている複数の第１の部材と、
ｉｉｉ．第２の方向に配置されている少なくとも１つの第２の部材と、
を有し、
少なくとも１つの部材の少なくとも１つの側面が、位置決めブラケットのＣ字形状の取付け部分と係合するような形状を有し、
Ｃ字形状の取付け部分の少なくとも一部が、少なくとも１つの部材の少なくとも１つの側面と同一平面上であるようにされている、
パネル、に属する。
【００１２】
第２の形態においては、本発明は、パネルを組み立てる方法であって、パネルが、
ｉ．少なくとも１つの位置決めブラケットであって、
ａ．少なくとも１つの側壁に沿っての開口を有する実質的にＣ字形状の取付け部分と、
ｂ．少なくとも１つのブラケットを面に対して取り付けるようにされているフランジと、
を有する、ブラケットと、
ｉｉ．第１の方向に配置されている複数の第１の部材と、
ｉｉｉ．第２の方向に配置されている少なくとも１つの第２の部材と、
を有し、
少なくとも１つの部材の少なくとも１つの側面が、ブラケットのＣ字形状の取付け部分と係合するような形状を有し、
本方法が、
Ｃ字形状の取付け部分の少なくとも一部が、パネル部材の少なくとも１つの側面と同一平面上になるまで、部材をＣ字形状の取付け部分に挿入し、ブラケットを部材に固定するステップ、
をさらに含んでいる、方法、
に属する。
【００１３】
本発明のパネルは、フェンスパネルとして使用する、または、フェンスあるいは類似する防護柵のための嵌め込み式パネル（例えば、美観的パネルまたは特徴的形状パネル）として使用するのに特に良好に適する。それ以外としては、以下に制限されないが、本発明に従って形成されるパネルは、ゲートパネル（またはゲートにおける特徴的形状パネル）、ガレージ、車庫、住宅、またはその他の構造物のためのディテールパネルまたは特徴的形状パネル、中庭の防護柵パネル（例えば、柵または壁）、切り妻屋根または屋外日よけのためのディテールパネルまたは特徴的形状パネルとして、使用することができる。あるいは、本発明のパネルは、パーゴラ、屋内シャッター壁、手すり（屋内、屋外）、またはテラスとして、またはその一部としての用途を見い出すこともできる。
【００１４】
本パネルは、キットまたはモジュール型として販売するように製造することが、特に好ましい。したがって、本パネルは、日曜大工の平均的な経験を持つ人が容易に組み立てることができるように、販売後に組み立てるように特にするべきである。本発明のパネルは、この用途に特に良好に適合しており、なぜなら、本パネルの組立て・取付け方式においては、標準的な寸法の製品を製造することができ、迅速、簡単、かつ使用者による加工なしに、寸法において最大でも３００ｍｍ超程度の大きさの空間内で使用できるためである。
【００１５】
パネルは防護柵パネルとすべきであり、特に好ましい形態によると、パネルは、スラットと開口とが交互に並ぶスラット部材を有する。しかしながら、開口を備えておらず隙間のない防護壁が要求されるときには、本発明のパネルは、この形態に容易に適合させることができ、本パネルはテラスとして使用することもできる。
【００１６】
本発明のパネルは、上記の目的に適する任意の材料から製造することができる。しかしながら、好ましい構造材料は、プラスチックおよび金属であり、より好ましい材料は、その強度および美観上の品質により、木である。
【００１７】
特に好ましい実施形態によると、パネルは、第１の方向における一連の部材と、第１の方向における部材を一緒に固定する、もしくは、第１の方向における部材を支持する、またはその両方を行う、第２の方向における部材と、を含んでいる。さらに、通常、パネルは、パネルを開口内の適切な位置に、または開口に対して固定する、少なくとも１つの、一般的には複数の、ブラケットを含んでいる。
【００１８】
一般的に、第１の方向に配置されている複数の第１の部材が存在している。第１の部材のそれぞれは、一般的にはスラット部材である。その方向は、使用者の要望に依存し、したがって、使用時および組立て後、第１の部材は、水平に向いている、垂直に向いている、または角度をなしていることができる。第１の部材は、一般には、細長い部材である。第１の部材の実際の長さは、一般には、要求される防護壁またはパネルのサイズに依存する。
【００１９】
スラット部材は、一般には、長方形断面を有する。美的にも好ましい外観が形成されるように、長方形の角をまるめることができる。さらに、スラット部材のそれぞれは、一般には、特に、堅くもろい材料を使用する場合に、留め具を使用できるように、事前にドリル加工された複数の開口を含んでいる。スラットは、２つの寸法のうち長い方が、第２の部材の２つの寸法のうちの長い方に平行であるような向きとすることができ、あるいは、２つの寸法のうち短い方が、第２の部材の２つの寸法のうちの長い方に平行であるようにすることができる。強度を目的として構造も考慮することができる。
【００２０】
重要な点として、第１の部材を、スラットとしてのみならず、パネルの上部レールまたは下部レールとして使用することができる。上部レールまたは下部レールは、一般的には、パネルの外観を整える、部材の端部を水分による損傷から保護する、または構造上の支持をパネルに提供するための、境界レールである。
【００２１】
当然ながら、部材は、パネルの使用者または製造者によって要求される任意の別の断面とすることもできる。例えば、美観上の理由から、顧客が丸い部材を好むことがある。
【００２２】
第２の方向には、少なくとも１つ、一般的には複数の第２の部材が配置されている。一般には、パネルの端部のそれぞれに第２の部材が設けられ、パネルに強度または支持を提供するため、１つまたは複数の第２の部材がパネルに沿って設けられる。
【００２３】
第２の部材は、一般には細長い部材である。第２の部材の実際の長さは、一般には、要求される防護壁またはパネルのサイズに依存する。
【００２４】
第１の部材と同様に、第２の部材のそれぞれは、一般的にはスラット部材である。スラット部材は、一般には、長方形断面を有する。美的にも好ましい外観が形成されるように、長方形の角をまるめることができる。さらに、部材のそれぞれは、一般には、特に、堅くもろい材料を使用する場合に、留め具を使用できるように、事前にドリル加工された複数の開口を含んでいる。
【００２５】
パネルの端部に、または端部に隣接して設けられる第２の部材は、パネルを適切な位置に固定するためのブラケットを使用できるようにされていることが好ましい。ブラケットのＣ字形状の取付け部分と、取付け部分が係合する第１の部材との同一平面部分は、パネルの端部に位置している第２の部材に面していることが好ましい。
【００２６】
各部材（第１の部材または第２の部材）は、一般に、１つまたは複数の切り込み加工されたセクションを有する。切り込み加工されたセクションの位置および形状構造は、第１の部材および第２の部材とで異なるが、パネルを組み立てるときに互いに係合するように対応する形状を有することが好ましい。
【００２７】
第１の部材のそれぞれは、一般に、第１の部材の各端部における、または各端部に隣接する、少なくとも１つの、一般的には一対の、切り込み加工された部分を含んでいる。切り込み加工された部分のそれぞれは、肩部切り込み（shoulder rebate）、すなわち、第１の部材の所定の長さにわたり第１の部材の角から除去された部分である。第１の部材の各端部に一対の切り込み加工された部分を設けるときには、第１の部材の、対角線上の反対の角からではなく同じ側における角から、角部分が除去されることが好ましい。切り込み加工された部分は、第１の部材の各端部の４つの角すべてに形成することができ、または、さらに、切り込み加工された部分を、各端部の寸法が両方の方向において減少するように設けることができる。すなわち、Ｃ字形状の取付け部分が、第１の部材の端部を囲み、かつ、第１の部材の切り込み加工されていない部分と同一平面上であるように、第１の部材の端部全体のサイズを小さくすることができる。
【００２８】
第１の部材の切り込み加工された部分は、各端部から約２００ｍｍ、第１の部材に沿って延びていることができるが、約７５ｍｍ、内側に延びていることが好適である。これにより、第１の部材が第２の部材の縁部よりも外側に約３５ｍｍ突き出した状態に、第２の部材（約４２ｍｍの幅とすることができる）を第１の部材に対して配置することができる。この例においては、ブラケットが第１の部材に嵌め込まれると、第２の部材が第１の部材の切り込み加工された部分を覆う。３５ｍｍの突き出し長さは、変更することができる。切り込み加工された部分によって、切り込み加工された部分の間、第１の部材の各端部に、周囲より高い舌状延長部分（raised tongue extension portion）を形成することができる。舌状延長部分は、Ｃ字形状の取付け部分の側壁の間に受け入れられることが好ましい。
【００２９】
一般には、第１の部材の同じ端部に２つ以上の切り込み加工された部分が存在する。第１の部材の各端部に、異なる深さもしくは異なる位置、またはその両方まで切り込み加工して、第１の部材の端部に階段状の輪郭を形成することができる。具体的には、一次切り込みを形成するために第１の部材の端部の角を切り込み加工することによって形成される舌状延長部分に、さらに切り込み加工して、少なくとも１つの二次の切り込み加工された部分を設けることができる。二次の切り込み加工された部分は、一般には、一次の切り込み加工された部分よりも幅および深さが小さく、一次の切り込み加工された部分の長さの一部のみにわたり形成される。一般的には、一次の切り込み加工された部分それぞれにおいて、二次の切り込み加工された部分が存在する。
【００３０】
好ましくは、一次の切り込み加工された部分または一次舌部は、第１の部材の端部に隣接して位置しており、二次の切り込み加工された部分または二次舌部は、一次舌部の内側に位置している。一次舌部および二次舌部の両方が第１の部材の端部に設けられているとき、通常、一次舌部は、側面から見たとき、Ｌ字形状の舌部であり、Ｌ字形状の舌部の基部が第１の部材の端部に隣接しており、Ｌ字形状の舌部の直立部分が基部から第１の部材の他方の端部の方に延びている。二次舌部は、第１の部材の原寸部分または切り込み加工されていない部分において終了させることができる。
【００３１】
本発明のパネルを製造するために使用される第１の部材のうちのいくつかのみを、この様式の構造とすることができ、この数は、一般的には、必要であるパネルのサイズに従って決定される。切り込み加工された部分を有する第１の部材は、一般には、パネルの寸法にわたり隔置される。好ましくは、切り込み加工された第１の部材は、パネルを所定の位置に固定するためのブラケットの使用を促進するようにされており、他の第１の部材は、一定の断面とすることができる。
【００３２】
第１の部材には、部材の一方の端部のみに一次舌部および二次舌部を設けることができ、部材の残りの部分は、一定の断面とすることができる。一次切り込みおよび二次切り込みが、例えば、第１の部材の、両端部の間の長さに沿って設けられない場合、あるいは、端部において一次の切り込み加工された部分および二次の切り込み加工された部分が単に設けられない場合、切り込み加工された部分は、一次舌部の形成に類似して角の縁部に設けることが好ましいが、違いとして、これらは部材の端部まで達していないことが好ましい。この形態においては、切り込み加工された部分は、第１の部材の端部から、原寸の、切り込み加工されてない部分によって隔てることができる。このタイプの切り込み加工された部分が設けられる場合、切り込み加工された部分の深さは、二次舌部の深さに類似する深さとすることができる。これらの切り込み加工された部分は、簡潔さのため、（たとえ、これらの切り込み加工された部分とともに一次舌部が設けられない場合にも）二次舌部と称することもできる。
【００３３】
第１の部材の切り込み加工された部分のそれぞれは、切り込み加工された部分に関連付けられる、事前にドリル加工された穴または開口を有することが好ましい。このことは、特に、部材用として堅くもろい材料を使用するときにあてはまる。
【００３４】
第２の部材のそれぞれも、一般的には、スラット部材である。第２の部材は、一般には、細長い部材である。第２の部材の実際の長さは、一般には、要求される防護壁またはパネルのサイズに依存する。
【００３５】
スラット部材は、一般には、長方形断面を有する。美的にも好ましい外観が形成されるように、長方形の角をまるめることができる。さらに、スラット部材のそれぞれは、一般には、特に、堅くもろい材料を使用する場合に、留め具を使用できるように、事前にドリル加工された複数の開口を含んでいる。スラットは、第２の部材の２つの寸法のうち長い方が、第１の部材の２つの寸法のうちの長い方に平行であるような向きとすることができ、あるいは、第２の部材の２つの寸法のうち短い方が、第１の部材の２つの寸法のうちの長い方に平行であるようにすることができる。強度を目的として構造も考慮することができる。
【００３６】
本発明によるパネルに使用される第２の部材のそれぞれは、その長さの範囲内に（隔置されている複数の切り込み加工された部分を含んでいることが好ましい。切り込み加工された部分のそれぞれは、特に、第１の部材を第２の部材に対して確実に位置決めするため、第１の部材に設けられている二次切り込みまたは二次舌部と係合するようにされている。
【００３７】
第２の部材のそれぞれは、切り込み加工された部分が整列し、これにより、パネルの第１の部材が整列するように、同じ形状構造と、切り込み加工された部分の間の同じ間隔とを有する。
【００３８】
第２の部材のそれぞれは、第１の部材がパネルの上部レールまたは下部レールとして使用されるときに、第１の部材の舌部と係合する目的で、部材の端面に切り込み加工された部分を含んでいる。これらの切り込み加工された部分が設けられる場合、これらの部分は、中央に配置される。
【００３９】
この場合も、切り込み加工された部分のそれぞれは、切り込み加工された部分に関連付けられる事前にドリル加工された穴または開口を有することが好ましい。第２の部材の切り込み加工された部分は、対応する舌部を密着状態に受け入れるようなサイズおよび形状を有することが好ましい。
【００４０】
本発明のパネルは、少なくとも１つの、一般的には複数の位置決めブラケットであって、それぞれが、少なくとも１つの側壁に沿っての開口を有する実質的にＣ字形状の取付け部分と、少なくとも１つのブラケットを面に対して取り付けるようにされているフランジと、を有する、位置決めブラケット、を含んでいる。各ブラケットは、一般に、長さが２５ｍｍ〜最大３００ｍｍの間である。
【００４１】
ブラケットは、比較的軽いが強度の高い任意の材料から製造することができ、好ましい構造材料は、金属およびプラスチックであるが、プラスチックモデルにおいては、ある程度の強度の制約が存在することがある。ブラケットは単体とすることができるが、Ｃ字形状の部分とフランジとを個別に形成し、形成した後に結合できることが予測される。
【００４２】
各ブラケットは、パネル部材の取付けを容易にするための取付け部分であって、一般的には、第１の部材の一次舌部と係合するようにされており、実質的にＣ字形状である、取付け部分、を含んでいる。Ｃ字形状部分は、好ましくは、上壁と、下壁と、これら２つの壁を結合している側壁とによって画成されており、側壁に対向する縦方向の開口が設けられている、または、この側壁に対向する側壁が存在しない。設けられている側壁には、一般に、開口が設けられており、この開口は、ブラケットに使用される材料の低減に貢献することができる。
【００４３】
Ｃ字形状の取付け部分は、第１の部材の端部を密着状態に受け入れるようなサイズを有することが好ましい。Ｃ字形状部分の上壁および下壁のそれぞれは、一般には、それぞれの壁の縁部から、または縁部に隣接して延びている延在部分であって、側壁に対向している、延在部分、を有し、なぜなら、これらの延在部分は、第１の部材の位置決定および固定を支援することができる。
【００４４】
延在部分および側壁のそれぞれは、一般的には、留め具を受け入れるための１つまたは複数の開口も含んでいる。
【００４５】
Ｃ字形状の取付け部分は、一般には、ブラケットのフランジに垂直に延びているが、代替形態においては、フランジに平行に延びている、またはフランジに対して角度をなして延びていることができる。
【００４６】
ブラケットを面に対して取り付けるためのフランジは、通常、平面状の部材または板である。必要な場合に第１の部材の端部をフランジに通すことができるようにする目的で、フランジに、第１の部材の端部、特に、切り込み加工された部分、と同じ断面形状の開口が設けられる。
【００４７】
フランジには、通常、ブラケットを面に取り付けるための取付け開口が設けられる。均一なサイズの開口において、より小さい寸法の留め具を使用できるようにして、使用時の高い有用性を提供する目的で、取付け開口のそれぞれには、挿入部分または挿入部材がさらに設けられることが好ましい。挿入部材は、内側方向にテーパーが付いており、留め具を通すことのできる中央開口が設けられていることが好ましい。提供される留め具のための挿入部材、または、開口のいずれかは、一般に、留め具の頭部を皿穴状にするための凹部を有する。挿入部材は、開口の断面のサイズを小さくすることが好ましい。
【００４８】
第１の部材を参照しながら上に開示した切り込み部分は、第２の部材に設けることもでき、その場合、ブラケットを第１の部材のみならず第２の部材においても使用する、あるいは、ブラケットを第１の部材の代わりに第２の部材において使用することができる。
【００４９】
上に開示した、本発明による、切り込み加工された部分およびブラケットを有するパネルを提供する１つの大きな利点は、ブラケットの内側方向または外側方向に部材をさらにすべらせることによって、パネルを開口の中で位置決定できることである。満足する位置が達成された時点で、留め具を使用して部材をブラケットに固定することができる。
【００５０】
別の有利な機能は、各部材および特に切り込み加工された部分の形状構造によって、特に、パネルを組み立てるときに極めて簡単に使用できるシステムが使用者に提供されることである。なぜなら、切り込みおよび舌部によって確実な位置決めシステムが提供され、部材が互いに確実に正しく配置されるためである。
【００５１】
あるいは、使用されるブラケットは、Ｃ字形状の溝の代わりに、細長い延長部分を有することができる。この実施形態においては、部材には、延長部分を受け入れるための開口を端面に設けることができ、固定具が隠されているシステムとなる。
【００５２】
第３の形態においては、本発明は、細長い部材を支持体に対して固定する固定具システムであって、細長い部材の端面に形成されている開口と、支持体に取り付けるようにされているブラケットであって、端面における開口に少なくとも部分的に受け入れられる細長い延長部分、を有する、ブラケットと、を含んでいる、固定具システム、に属する。
【００５３】
第４の形態においては、本発明は、部材を重なり合わせるための、２つの部品から成る自己位置決め接合器であって、第１の重なり合う部材における第１のほぞ穴部と、第２の重なり合う部材における第２のほぞ部と、を有し、部材が重なり合うときに、接合器のほぞ部が接合器のほぞ穴部の中で確実に位置決めされて正しい配置が確保される、自己位置決め接合器、に属する。
【００５４】
本発明のさまざまな実施形態は、添付の図面を参照しながら説明してある。
【図面の簡単な説明】
【００５５】
【図１】本発明の好ましい実施形態において使用されるブラケットの斜視図である。
【図２】図１に示したブラケットの斜視図であり、このブラケットが取り付けられる部材（図３に示してある）から横に取り外されている状態である。
【図３】本発明の第１の実施形態による、第１の部材の斜視図である。
【図４】図３に示した第１の部材に対して適切な位置にある、図２に示したブラケットの斜視図である。
【図５】留め具（分解図で示してある）を備えた特に好ましい実施形態によるパネルの斜視図であり、ブラケットは１つのみ使用している。
【図６】図１に示したブラケットの斜視図であり、このブラケットが取り付けられる部材（図７に示してある）から横に取り外されている状態である。
【図７】本発明の第２の実施形態による、第１の部材の斜視図である。
【図８】図７に示した第１の部材に対して適切な位置にある、図６に示したブラケットの斜視図である。
【図９】図７に示した第１の部材の第１の端部の詳細な拡大図である。
【図１０】図７に示した第１の部材の第２の端部の詳細な拡大図である。
【図１１】本発明の好ましい実施形態による、第２の部材の表面および裏面の両方の斜視図である。
【図１２】代替実施形態によるブラケットの斜視図である。
【図１３】図１２に示したブラケットの後面図である。
【図１４】図１２に示したブラケットの側面図である。
【図１５】図１２に示したブラケットの上面図である。
【図１６】好ましい実施形態による挿入部分を備えた、図１２に示したブラケットのさまざまな図を示している。
【発明を実施するための形態】
【００５６】
本発明の特に好ましい実施形態によると、パネルを提供する。
【００５７】
図５に、組み立てた形態として示したパネルは、第１の方向に配置されている複数の第１の部材１１と、第２の方向に配置されている複数の第２の部材１２とを有する。さらに、パネルは、位置決めブラケット１３（図１または図２にもっとも明確に示してある）も含んでおり、位置決めブラケット１３のそれぞれは、側壁に沿った開口１５を有する実質的にＣ字形状の取付け部分１４と、このブラケット１３を面に対して取り付けるようにされているフランジ１６とを有する。第１の部材１１の少なくとも１つの側面は、Ｃ字形状の取付け部分１４の一部が第１の部材１１の少なくとも１つの側面と同一平面上であるように、位置決めブラケット１３のＣ字形状の取付け部分１４と係合するための形状を有する。
【００５８】
図５に示したパネルは、スラットと、スラット間の開口とが交互に並ぶ形態における第１の部材１１を有する。
【００５９】
図５に示したパネルによると、第１の方向に配置されている複数の第１の部材１１が存在する。第１の部材１１の第１の好ましい実施形態は、図３および図４に示してある。この実施形態によると、第１の部材１１のそれぞれは、細長いスラット部材である。図３〜図５に示してある第１の部材１１は、水平方向に向いているが、方向は、使用者の要望に依存する。
【００６０】
第１のスラット部材１１は、長方形断面を有し、美的にも好ましい外観が形成されるように、長方形スラット部材１１の角がまるめられている。第１のスラット部材１１は、２つの寸法のうち長い方が、第２の部材１２の２つの寸法のうちの長い方に平行であるような向きにある。
【００６１】
図５においては、第１の部材１１は、スラットとしてのみならず、パネルの上部レール１７として使用されるものとして示してあり、ただし、この上部レールは、残りの第１のスラット部材１１とは異なって配置されている。上部レール１７は、主として、第２の部材の縁部を水分による損傷から保護するのみならず、パネルの外観を整えるための境界レールとして使用され、さらに、構造上の支持をパネルに提供する目的で設けられる。
【００６２】
図５に示したパネルの実施形態においては、第２の方向に配置されている第２の部材１２が存在しているが、さらなる第２の部材１２は、パネルにまたがって配置されている。通常、第２の部材１２はパネルの各端部に設けられ、また、強度または支持をパネルに提供するため、１つまたは複数の第２の部材１２がパネルに沿って設けられる。
【００６３】
第２の部材１２（図１１にもっとも明確に示してある）も細長い部材であり、その長さは、要求されるパネルのサイズに依存する。第１のスラット部材１１と同様に、第２の部材１２それぞれもスラット部材である。第２のスラット部材１２は、長方形断面を有する。この場合も、美的にも好ましい外観が形成されるように、長方形の角がまるめられるようにされている。
【００６４】
第２の部材１２は、第２の部材１２の２つの寸法のうち長い方が、第１の部材の２つの寸法のうちの長い方に平行であるような向きとすることができる。
【００６５】
図５から理解できるように、パネルの端部に設けられている第２の部材１２は、第１の部材１１と係合することによってパネルを適切な位置に固定するためのブラケット１３を使用できるようにされている。ブラケット１３のＣ字形状の取付け部分１４と、取付け部分１４が係合する第１の部材１１との同一平面部分は、パネルの端部に配置される第２の部材１２に面しているが、ブラケット１３は、第１の部材１１と第２の部材１２とが当接することを妨げることはない。
【００６６】
各部材（第１の部材１１または第２の部材１２）は、切り込み加工されたセクションを有する。切り込み加工されたセクションの位置および形状構造は、第１の部材１１および第２の部材１２とで異なるが、第１の部材１１および第２の部材１２において切り込み加工することによって形成される切り込みセクションおよび舌部は、パネルを組み立てるときに互いに係合するように対応する形状を有する。
【００６７】
図３に示した実施形態によると、第１の部材１１のそれぞれは、第１の部材１１の各端部における、または各端部に隣接する、一対の切り込み加工された部分１８を含んでいる。切り込み加工された部分１８のそれぞれは、肩部切り込み、すなわち、第１の部材１１の所定の長さにわたり第１の部材１１の角から除去された部分である。切り込み加工された部分１８は、第１の部材１１の、対角線上の反対の角からではなく同じ側における角から、材料を除去することによって形成される。
【００６８】
第１の部材１１の切り込み加工された部分１８は、各端部から約７５ｍｍにわたり、第１の部材に沿って延びていることが好ましい。切り込み加工された部分１８は、切り込み加工された部分１８の間、第１の部材１１の各端部に、周囲より高い舌部１９を形成している。図４に示したように、舌部１９は、ブラケット１３のＣ字形状の取付け部分１４の側壁の間に受け入れられる。
【００６９】
第１の部材１１の切り込み加工された部分１８は、内側に約７５ｍｍ延びている。これにより、第１の部材１１が第２の部材１２の縁部よりも外側に約３５ｍｍ突き出した状態に、第２の部材１２（幅が約４２ｍｍである）を第１の部材１１に対して配置することができる。この例においては、ブラケット１３が第１の部材１１に嵌め込まれると、第２の部材１２が第１の部材１１の切り込み加工された部分１８を覆う。図７〜図９に示した、第１の部材１１の代替実施形態によると、第１の部材１１の同じ端部に２つ以上の切り込み加工された部分を設けることができる。この好ましい実施形態によると、第１の部材１１の各端部は、一対の一次切り込み２０と一対の二次切り込み２１とを有し、二次切り込みは、異なる深さに切り込み加工されており、第１の部材１１の端部に階段状の輪郭が形成されるように配置されている。
【００７０】
一次切り込み２０を形成することによって一次舌部２２を形成し、この一次舌部２２をさらに切り込み加工して二次切り込み２１を設ける。第１の部材１１をブラケット１３に固定するためにブラケット１３のＣ字形状の取付け部分１４の側壁における開口と係合するのは、一次舌部２２である。二次切り込み２１は一次切り込み２０よりも幅および深さが小さく、一次切り込み２０の長さの一部のみにわたり形成される。
【００７１】
一次舌部２２は、第１の部材１１の端部に隣接して位置しており、二次切り込みは、一次舌部２２の内側に位置している二次舌部２３を形成している。一次舌部２２および二次舌部２３の両方が第１の部材１１の端部に設けられているとき、一次舌部２２は、側面から見たとき、Ｌ字形状の舌部であり、Ｌ字形状の舌部の基部が第１の部材の端部に隣接しており、Ｌ字形状の舌部の直立部分がベース部分から第１の部材の他方の端部の方に延びている。二次舌部２３は、第１の部材１１の原寸部分または切り込み加工されていない部分２４において終了させることができる。
【００７２】
一次切り込み２０および二次切り込み２１が、例えば、第１の部材１１の、両端部の間の長さに沿って設けられない場合、あるいは、端部において一次の切り込み加工された部分２０および二次の切り込み加工された部分２１が単に設けられない場合、第１の部材１１の切り込み加工された部分は、一次舌部２２の形成に類似して角の縁部に設けられるが、違いとして、これらは第１の部材１１の端部まで達していない。これらのような切り込み加工された部分は、図７、図９、および図１０に示してある。
【００７３】
この形態においては、切り込み加工された部分１８は、原寸の、切り込み加工されていない部分２４によって、第１の部材１１の端部から隔てられている。このタイプの切り込み加工された部分１８を設ける場合、切り込み加工された部分１８の深さおよび幅は、二次舌部２３の深さおよび幅に類似する深さおよび幅である。
【００７４】
第１の部材１１の切り込み加工された部分のそれぞれは、切り込み加工された部分によって形成されている舌部に関連付けられる、事前にドリル加工された穴２５を有する。
【００７５】
図１１に示したように、本発明によるパネルに使用される第２の部材１２のそれぞれは、その長さの上に隔置されている複数の切り込み加工された部分１８を含んでいる。切り込み加工された部分１８のそれぞれは、特に、第１の部材１１を第２の部材１２に対して確実に位置決めするため、第１の部材１１に設けられている二次舌部２３と係合するようにされている。
【００７６】
第２の部材１２のそれぞれは、切り込み加工された部分１８が整列し、これにより、パネルの第１の部材１１が整列するように、同じ形状構造と、切り込み加工された部分１８の間の同じ間隔とを有する。
【００７７】
第２の部材１２のそれぞれは、第１の部材１１がパネルの上部レール１７または下部レールとして使用されるときに、第１の部材１１の舌部２３と係合する目的で、部材の端面に切り込み加工された部分１８を含んでいる。これらの切り込み加工された部分１８を設ける場合、これらの部分１８は、中央に配置する。
【００７８】
この場合も、切り込み加工された部分１８のそれぞれは、切り込み加工された部分１８に関連付けられる事前にドリル加工された穴２５を有する。
【００７９】
本発明のパネルは、図１に示したような複数の位置決めブラケット１３を含んでいる。各ブラケット１３は、一般には、長さ２５ｍｍ〜２００ｍｍの間である。
【００８０】
ブラケット１３は、比較的軽いが強度の高い任意の材料から製造することができ、好ましい構造材料は、金属およびプラスチックであるが、プラスチックモデルにおいては、ある程度の強度の制約が存在することがある。ブラケット１３は単体であることが好ましいが、Ｃ字形状の部分１４とフランジ１６とを個別に形成し、形成した後に結合できることが予測される。
【００８１】
各ブラケット１３は、第１の部材１１の取付けを容易にするための取付け部分１４を含んでおり、この取付け部分１４は、一般的には、第１の部材１１の一次舌部２２と係合するようにされており、実質的にＣ字形状である。Ｃ字形状部分１４は、上壁２６と、下壁２７と、これら２つの壁を結合している側壁２８とによって画成されており、長手方向の開口１５が設けられている、または、側壁２８に対向する側壁が存在しない。側壁２８には開口２９が設けられており、この開口は、ブラケット１３に使用される材料の低減に貢献することができる。
【００８２】
Ｃ字形状の取付け部分１４は、第１の部材１１の端部を密着状態に受け入れるようなサイズを有する。Ｃ字形状部分１４の上壁２６および下壁２７のそれぞれは、一般には、第１の部材１１の位置決定および固定を支援する目的で、それぞれの壁の縁部から、または縁部に隣接して延びている延在部分３０（側壁２８に対向している）を有する。
【００８３】
延在部分３０および側壁２８のそれぞれは、一般的には、留め具を受け入れるための１つまたは複数の開口３１も含んでいる。
【００８４】
Ｃ字形状の取付け部分１４は、図１に示した実施形態によると、ブラケット１３のフランジ１６に垂直に延びているが、図１２〜図１５に示したように、フランジに平行とすることができる。
【００８５】
ブラケット１３を面に対して取り付けるためのフランジ１６は、通常、平面状の部材または板である。必要な場合に第１の部材１１の端部をフランジ１６に通すことができるようにする目的で、フランジ１６には、第１の部材１１の端部（特に、切り込み加工された部分）と同じ断面形状の開口３２が設けられている。
【００８６】
フランジ１６には、通常、ブラケット１３を面に取り付けるための取付け開口３３を設ける。図１６の実施形態には、挿入部材も示してある。
【００８７】
本明細書および請求項（存在時）において、語「備えている（含んでいる）」およびその活用形は、記載されている整数のそれぞれを含んでいるが、１つまたは複数のさらなる整数の含有を除外するものではない。
【００８８】
本仕様書全体を通じて用いられている語「一実施形態」または「実施形態」は、その実施形態に関連して記載されている特定の特徴、構造、または特性が、本発明の少なくとも１つの実施形態に含まれていることを意味する。したがって、本明細書中のさまざまな箇所において句「一実施形態において」または「実施形態において」が使用されているが、これらは、すべてが同じ実施形態を指しているとは限らない。さらには、特定の特徴、構造、または特性を、１つまたは複数の組合せとして、任意の好適な様式において組み合わせることができる。
【図１】
2010511812.tif 000003
【図２】
2010511812.tif 000004
【図３】
2010511812.tif 000005
【図４】
2010511812.tif 000006
【図５】
2010511812.tif 000007
【図６】
2010511812.tif 000008
【図７】
2010511812.tif 000009
【図８】
2010511812.tif 000010
【図９】
2010511812.tif 000011
【図１０】
2010511812.tif 000012
【図１１】
2010511812.tif 000013
【図１２】
2010511812.tif 000014
【図１３】
2010511812.tif 000015
【図１４】
2010511812.tif 000016
【図１５】
2010511812.tif 000017
【図１６】
2010511812.tif 000018
【国際調査報告】
2010511812.tif 000019
2010511812.tif 000020